(57)【特許請求の範囲】
【請求項１】
受信機から供給される電源を受けて動作し、煙濃度測定値と予め設定されたしきい値とを比較する火災判断を行い、その判断結果に基づいて、内蔵される接点を閉じて火災信号を出力する構成の煙感知器において、
所定の蓄積時間を記憶する記憶手段を備えており、所定時には、この記憶手段に上記蓄積時間が記憶されているかを判断し、上記蓄積時間が記憶されていなければ、第１の火災判断を行い、上記煙濃度測定値が上記しきい値以上のときには、上記蓄積時間を算出して上記記憶手段に記憶させ、第１の火災信号を出力し、
上記記憶手段に上記蓄積時間が記憶されていれば、この蓄積時間を読み出した後、第２の火災判断を行い、その結果、上記煙濃度測定値が上記しきい値以上のときには、上記第１の火災信号を出力してから上記蓄積時間が経過しているかを判断し、上記蓄積時間を経過していれば、上記記憶手段の蓄積時間を消去して、第２の火災信号を出力する一方、上記蓄積時間を経過していなければ、上記蓄積時間が経過するまで上記第２の火災判断を継続する構成とした煙感知器。
【請求項２】
請求項１において、
上記第２の火災判断を行った結果、上記煙濃度測定値が上記しきい値以上でないときには、上記記憶手段の蓄積時間を消去する構成とした煙感知器。
【請求項３】
請求項１又は請求項２のいずれかにおいて、
上記記憶手段に上記蓄積時間が記憶されていないときには、所定の煙濃度減算値を算出し、上記第１の火災判断として、上記煙濃度測定値から上記煙濃度減算値を減算した値がしきい値以上かどうかの判断をし、その結果算出される蓄積時間とともに、上記煙濃度減算値を上記記憶手段に記憶させる構成とした煙感知器。
【請求項４】
請求項３において、
上記記憶手段より、上記煙濃度減算値を上記蓄積時間とともに読み出し、上記煙濃度測定値から上記煙濃度減算値を減算した値と上記しきい値とを比較し、減算した値が上記しきい値以上かどうかの判断を、上記第２の火災判断とする構成とした煙感知器。
【発明の詳細な説明】
【０００１】
【発明の属する技術分野】
本発明は、受信機から供給される電源を受けて動作し、煙濃度測定値と予め設定されたしきい値とを比較する火災判断を行い、その判断結果に基づいて、内蔵される接点を閉じて火災信号を出力する構成の煙感知器に関する。
【０００２】
【従来の技術】
従来より、火災報知システムにおいては、周囲の煙濃度が増加すると火災信号を出力する煙感知器が使用されており、感知器を多重伝送線で接続するいわゆるＲ型受信機と、感知器を感知器回線で接続するいわゆるＰ型受信機との双方の受信機に対応したものがある。
【０００３】
Ｒ型受信機対応の煙感知器では、受信機がこの煙感知器１００との間でポーリングをすることによって煙感知器１００の煙感知状態を監視しているが、煙濃度計測値がしきい値以上になると、煙感知器１００のアドレスデータを含む火災信号を割り込みで出力する構成となっており、受信機が、同一アドレスデータの火災信号を２度受けたときに、火災信号に含まれるアドレスデータを基にして火災発生場所を通知した所定の火災警報をするようにしている。
【０００４】
ところで、煙感知器１００の周囲に喫煙者がいるなどして、非火災時の煙が発生していれば、その非火災時の煙により誤って火災信号を出力してしまうことがある。これを防止するため、最近では、Ｒ型受信機対応の煙感知器として図３に示すようなものが使用されている。
【０００５】
この煙感知器１００は、受信機２００とは多重伝送線Ｌ２を介して接続され、ＣＰＵなどで構成され、この煙感知器１００の制御をするマイコン１１０と、煙検知部１１１と、所定の蓄積時間を記憶するＥＥＰＲＯＭ１１２と、ダイオードブリッジ１１４と、受信機２００との間で信号の送受をする伝送部１１５とを備える。
【０００６】
このような構成によれば、煙濃度測定値が予め設定されたしきい値以上になると火災信号を出力するが、このとき、ＥＥＰＲＯＭ１１２に蓄積時間が記憶されていなければ、火災信号出力以前の煙濃度状態、すなわち、過去１分間の煙濃度平均値などを基にして火災確度を推定して蓄積時間を算出し、ＥＥＰＲＯＭ１１２に記憶させる。
【０００７】
以降は、火災判断をしながら経過時間の測定を行い、火災信号を出力してから蓄積時間が経過後に、煙濃度測定値がしきい値以上であれば２回目の火災信号を出力する。
【０００８】
また、煙感知器１００では、煙感知器１００の周囲における塵埃が煙検知部１１１に堆積することがよくあり、堆積した塵埃を煙と誤判断してしまうおそれがあり、これを防止するため、所定時間、例えば長時間あたりの煙濃度平均値を算出して、これを煙濃度減算値としてＥＥＰＲＯＭ１１２に記憶させる構成としており、煙濃度測定値から煙濃度減算値を減算した値としきい値とを比較することによって、塵埃による感度鋭敏化を防止している。
【０００９】
【発明が解決しようとする課題】
しかしながら、従来の煙感知器では、Ｒ型受信機対応のものでは、先述したように、非火災時の煙による誤報や、塵埃による感度鋭敏化を防止することができるが、Ｐ型受信機対応のものは、接点を閉じることによって火災信号を出力する構成であり、接点を閉じると電源電圧が降下して記憶内容のリセットがかかってしまう。
【００１０】
そのため、蓄積時間や煙濃度減算値を記憶させても、１回目の火災信号出力時には消去されてしまい、そのため、非火災時の煙による誤報や、塵埃による感度鋭敏化を防止することができなかった。
【００１１】
本発明は、Ｐ型受信機対応の煙感知器に関し、蓄積時間や煙濃度減算値を用いて、たばこの煙などの非火災時の煙による誤報や、塵埃による感度鋭敏化を防止することのできる煙感知器を提供することを目的としている。
【００１２】
【課題を解決するための手段】
上記目的を達成するために、本発明の請求項１に記載の煙感知器では、所定の蓄積時間を記憶する記憶手段を備えており、所定時には、この記憶手段に蓄積時間が記憶されているかを判断し、蓄積時間が記憶されていなければ、第１の火災判断を行い、煙濃度測定値がしきい値以上のときには、蓄積時間を算出して記憶手段に記憶させ、第１の火災信号を出力する構成とした。
【００１３】
ここに、所定時とは、第１の火災信号を出力した後や、後述する第２の火災信号を出力した後に煙感知器がリセットされて受信機の電源供給が再開されたとき、あるいは、記憶手段の蓄積時間を消去した後をいう。
【００１４】
一方、記憶手段に蓄積時間が記憶されていれば、この蓄積時間を読み出した後、第２の火災判断を行い、その結果、煙濃度測定値がしきい値以上のときには、第１の火災信号を出力してから蓄積時間が経過しているかを判断し、蓄積時間を経過していれば、記憶手段の蓄積時間を消去して、第２の火災信号を出力する一方、蓄積時間を経過していなければ、蓄積時間が経過するまで第２の火災判断を継続する構成とした。
【００１５】
請求項２に記載の煙感知器では、第２の火災判断を行った結果、煙濃度測定値がしきい値以上でないときには、記憶手段の蓄積時間を消去する構成とした。
【００１６】
請求項３に記載の煙感知器では、記憶手段に蓄積時間が記憶されていないときには、所定の煙濃度減算値を算出し、第１の火災判断として、煙濃度測定値から煙濃度減算値を減算した値がしきい値以上かどうかの判断をし、その結果算出される蓄積時間とともに、煙濃度減算値を記憶手段に記憶させる構成とした。
【００１７】
請求項４に記載の煙感知器では、記憶手段より、煙濃度減算値を蓄積時間とともに読み出し、煙濃度測定値から煙濃度減算値を減算した値としきい値とを比較し、減算した値がしきい値以上かどうかの判断を、第２の火災判断とする構成とした。
【００１８】
ここで、本発明において、「第１の火災判断」、「第２の火災判断」という用語を用いているが、これらの用語は本発明の要旨を明確にするため便宜上用いたものである。
【００１９】
すなわち、請求項１、請求項２では、第１，第２の火災判断双方とも、煙濃度測定値としきい値とを比較し、煙濃度測定値がしきい値以上であれば火災発生と判断する動作は同一のものである。
【００２０】
また、請求項３、請求項４では、第１，第２の火災判断双方とも、煙濃度測定値から煙濃度減算値を減算した値としきい値とを比較し、減算した値がしきい値以上かどうかの判断をする動作は同一のものである。
【００２１】
また、「第１の火災信号」、「第２の火災信号」という用語を用いているが、これらの用語も本発明の要旨を明確にするため便宜上用いたものであり、接点を閉じて感知器回線を流れる電流を増加させ、これを火災信号として出力する動作は同一のものである。
【００２２】
【発明の実施の形態】
以下に、本発明の一実施の形態について、図面とともに説明する。図１は、本発明の煙感知器の要部構成の一例を示す図である。
【００２３】
この煙感知器１は、いわゆるＰ型受信機に対応したものであり、受信機２とは感知器回線Ｌ１を介して接続され、受信機２より感知器回線Ｌ１を通じて電源供給を受けることによって動作する。
【００２４】
煙感知器１は、ＣＰＵなどで構成され、この煙感知器１の制御をするマイコン１０と、煙検知部１１と、記憶手段を構成するＥＥＰＲＯＭ１２と、接点１３と、ダイオードブリッジ１４とを備えており、マイコン１０によって、煙検知部１１で検知した煙濃度を測定し、その煙濃度測定値と予め設定されたしきい値とを比較する火災判断を行い、その結果に基づいて、接点１３を閉じて感知器回線Ｌ１の電流値を増加させ、これを火災信号として出力する構成としている。
【００２５】
このような構成によれば、図２のフローチャートに示すような動作をすることができる。すなわち、受信機から電源供給が開始されたときには（１００）、まず、ＥＥＰＲＯＭ１２に、蓄積時間が記憶されているかを判断する（１０１）。
【００２６】
そして、ステップ１０１の判断の結果、ＥＥＰＲＯＭ１２に蓄積時間が記憶されていなければ、後述する煙濃度減算値を算出する（１０２）。続いて、第１の火災判断を行い（１０３）、煙濃度測定値から煙濃度減算値を減算した値としきい値とを比較した結果、減算した値がしきい値以上であれば蓄積時間を算出する（１０４）。そして、算出した蓄積時間を、ステップ１０２で算出した煙濃度減算値とともにＥＥＰＲＯＭ１２に記憶させ（１０５）、１回目の火災信号を出力する（１０６）。その後、煙感知器１がリセットされて受信機２からの電源供給が再開され、ステップ１０１の処理に移行する。
【００２７】
ここで、蓄積時間とは、１回目の火災信号を出力した後、この時間の経過後にも、煙濃度測定値がしきい値以上となっていれば、後述する２回目の火災信号を出力する時間である。
【００２８】
このような蓄積時間は、たばこの煙などの非火災時の煙によって、火災信号が２回出力されて、受信機が誤って火災警報を出力してしまうことを防止するために算出されるものであり、例えば、マイコン１０は、１回目の火災信号出力以前の過去１分間の煙濃度平均値により火災確度を推定して算出する。
【００２９】
すなわち、一般にたばこの煙などの非火災時の煙による煙濃度の増加は一過性のものであるため、過去１分間の煙濃度平均値は小さいが、実火災時の煙濃度の増加は継続的なものであるため、過去１分間の煙濃度平均値は大きい。したがって、過去１分間の煙濃度平均値が小さければ蓄積時間を大きくする（例えば４５秒）。一方、過去１分間の煙濃度平均値が大きければ蓄積時間を小さくする（例えば９秒）。
【００３０】
なお、このような蓄積時間算出のためには、煙濃度測定値を常時サンプリングしておき、サンプリングした測定値のうちから、過去１分間の測定値を抽出すればよい。
【００３１】
また、煙濃度減算値とは、先述したように、煙濃度測定値から減算されて用いられるものであり、煙感知器１の周囲における塵埃が煙検知部１１に堆積して、堆積した塵埃により煙濃度測定値が増加することによって、誤って火災信号を出力してしまうことを防止するために算出される。なお、このような煙濃度減算値算出は、煙濃度測定値を常時サンプリングしておき、サンプリングした測定値のうちから、例えば、長時間あたりの煙濃度平均値を算出して、これを煙濃度減算値とすればよい。
【００３２】
一方、ステップ１０１の判断の結果、ＥＥＰＲＯＭ１２に蓄積時間が記憶されていれば、先述したステップ１０５の処理によって煙濃度減算値も記憶されているので、ＥＥＰＲＯＭ１２から、蓄積時間と煙濃度減算値との双方を読み出し（１０７）、第２の火災判断を行い（１０８）、煙濃度測定値から煙濃度減算値を減算した値としきい値とを比較した結果、減算値がしきい値以上であれば、先述した１回目の火災信号を出力してから蓄積時間が経過したかどうかを判断し（１０９）、経過していなければ蓄積時間が経過するまで第２の火災判断を行うが、経過していれば、ＥＥＰＲＯＭ１２から蓄積時間を消去して（１１０）、２回目の火災信号を出力する。このとき、受信機２では所定の火災警報が出力され、受信機２側での復旧操作によって煙感知器１がリセットされると、受信機２からの電源供給が再開され、ステップ１０１の処理に移行する。
【００３３】
なお、ステップ１０８における第２の火災判断の結果、減算値がしきい値以上でなければ、ＥＥＰＲＯＭ１２の蓄積時間を消去して（１１２）、ステップ１０１の処理に移行する。
【００３４】
【発明の効果】
以上の説明からも理解できるように、本発明の請求項１に記載の煙感知器では、記憶手段に蓄積時間が記憶されていなければ、第１の火災判断を行い、煙濃度測定値がしきい値以上のときには、蓄積時間を算出して記憶手段に記憶させ、第１の火災信号を出力するので、記憶手段に記憶させた蓄積時間を利用して、第２の火災信号を出力すべきかどうかの第２の火災判断をすることができ、Ｒ型受信機対応の煙感知器のように、たばこの煙などの非火災時の煙による誤報を防止することができる。
【００３５】
一方、記憶手段に蓄積時間が記憶されていれば、この蓄積時間を読み出した後、第２の火災判断を行い、その結果、煙濃度測定値がしきい値以上のときには、所定時から蓄積時間が経過しているかを判断し、蓄積時間を経過していれば、記憶手段の蓄積時間を消去して、第２の火災信号を出力するので、受信機が火災警報を出力後、煙感知器の接点が元の状態、すなわち、開いた状態とされて煙感知器が復旧してから、周囲の煙発生状態によって臨機応変に新たな蓄積時間を算出することができ、煙感知器の信頼性が向上する。
【００３６】
また、第２の火災判断の結果、煙濃度測定値がしきい値以上の際に、第１の火災信号出力直後から蓄積時間を経過していなければ、蓄積時間が経過するまで第２の火災判断を継続するので、たばこの煙などの非火災時の煙による誤報を防止することができ、信頼性が向上する。
【００３７】
請求項２に記載の煙感知器では、第２の火災判断を行った結果、煙濃度測定値がしきい値以上でなければ、記憶手段の蓄積時間を消去するので、その後の煙発生に備えて、新たな蓄積時間を算出して記憶手段に記憶させることができ、信頼性が向上する。
【００３８】
請求項３に記載の煙感知器では、記憶手段に蓄積時間が記憶されていないときには、所定の
煙濃度減算値を算出し、第１の火災判断として、煙濃度測定値から煙濃度減算値を減算した値がしきい値以上かどうかの判断をするので、煙感知器に堆積した塵埃により煙濃度測定値が増加することによって、誤って火災信号を出力してしまうことを防止することができ、塵埃による感度鋭敏化を防止することができる。
【００３９】
また、算出した煙濃度減算値を記憶手段に記憶させるので、第２の火災判断をする際には、記憶させた煙濃度減算値を用いて、正確な判断をすることができる。
【００４０】
請求項４に記載の煙感知器では、記憶手段より、煙濃度減算値を蓄積時間とともに読み出し、煙濃度測定値から煙濃度減算値を減算した値としきい値とを比較し、減算した値がしきい値以上かどうかの判断を、第２の火災判断とするので、請求項３と同様に、煙感知器に堆積した塵埃により煙濃度測定値が増加することによって、誤って火災信号を出力してしまうことを防止することができ、塵埃による感度鋭敏化を防止することができる。
【図面の簡単な説明】
【図１】本発明の煙感知器の要部構成の一例を示す図である。
【図２】煙感知器の動作の一例について説明するためのフローチャートである。
【図３】Ｒ型受信機対応の煙感知器の構成を示す図である。
【符号の説明】
１・・・煙感知器
２・・・受信機
１２・・・ＥＥＰＲＯＭ
１３・・・接点
【図１】
0003608049.tif 000002
【図２】
0003608049.tif 000003
【図３】
0003608049.tif 000004